(57)【要約】【課題】化粧層付きマグネットシート材などの磁性体及び可撓性を有する装飾シートの使用の自由度を向上させる。【解決手段】内装仕上構造は、下地基材パネル３Ａの上に厚さ２５μｍ以上２００μｍ以下の範囲の厚さの鉄箔３Ｂａを設けた下地材３と、その下地材３に着脱可能に磁着した着磁性及び可撓性を有する装飾シート４と、を備える。【選択図】        図２
2017040135.tif 000002
【特許請求の範囲】
【請求項１】
下地基材パネルの上に厚さ２５μｍ以上２００μｍ以下の範囲の厚さの鉄箔を設けた下地材と、
その下地材に着脱可能に磁着した着磁性及び可撓性を有する装飾シートと、
を備える内装仕上構造。
【請求項２】
下地基材パネルは、石膏若しくは木質系材料からなることを特徴とする請求項１に記載した内装仕上構造。
【請求項３】
上記装飾シートは、可撓性を有する磁性体シートと、その磁性体シートの上に形成された化粧シートとからなることを特徴とする請求項１又は請求項２に記載した内装仕上構造。
【請求項４】
上記装飾シートは、磁性材料が練り込まれている化粧シートからなることを特徴とする請求項１又は請求項２に記載した内装仕上構造。
【請求項５】
上記下地材は、上記鉄箔の上に表面保護層を有することを特徴とする請求項１〜請求項４のいずれか１項に記載した内装仕上構造。
【発明の詳細な説明】
【技術分野】
【０００１】
本発明は、内装材の表面が、着磁性及び可撓性を有する装飾シートから構成される内装仕上構造に技術に関する。
【背景技術】
【０００２】
化粧層を有するマグネットシート材が、室内壁面材などとして使用されることがある。例えば、特許文献１に記載のように、化粧層付きマグネットシート材は、鉄板などの強磁性体からなる棚や装飾品などに磁着されて表面を形成する。
特許文献１では、現場施工における、化粧層付きマグネットシート材の加工は容易になる。しかし、化粧層付きマグネットシート材を適用できる場所は、貼り付ける下地として、鉄板などの構造体から構成されている面に限定されて、使用の自由度が低い。
【先行技術文献】
【特許文献】
【０００３】
【特許文献１】特許第５７００８４７号公報
【発明の概要】
【発明が解決しようとする課題】
【０００４】
本発明は、上記のような点に着目したもので、化粧層付きマグネットシート材などの磁性体及び可撓性を有する装飾シートの使用の自由度を向上させること目的とする。
【課題を解決するための手段】
【０００５】
課題を解決するために、本発明の一態様は、下地基材パネルの上に厚さ２５μｍ以上２００μｍ以下の範囲の厚さの鉄箔を設けた下地材と、その下地材に着脱可能に磁着した着磁性及び可撓性を有する装飾シートと、を備える内装仕上構造である。
【発明の効果】
【０００６】
本発明の態様によれば、下地材が下地基材パネルの上に厚さ２５μｍ以上２００μｍ以下の範囲の厚さの鉄箔を設けた構成とすることで、通常の下地パネルと同等の施工で設けることが可能となる。この結果、本発明の態様によれば、着磁性及び可撓性を有する装飾シートの使用範囲が拡大する。
【図面の簡単な説明】
【０００７】
【図１】下地材の施工状態を示す概念図である。
【図２】装飾シートの取り付けを説明する概念図である。
【図３】鉄箔シートの構成を説明する断面図である。
【図４】装飾シートの構成を説明する断面図である。
【発明を実施するための形態】
【０００８】
次に、本発明の実施形態について図面を参照して説明する。
本実施形態では、本発明を適用する内装部分が壁面の場合を例にして説明するが、ドア、枠材、キッチン扉、床材などを対象としても良い。
本実施形態の内装仕上構造は、例えば、図１に示すように、壁躯体１に受け材２を介して、下地材３が釘などで取り付けられ、その下地材３の上に、図２に示すように、装飾シート４が取り付けられて構成されている。
【０００９】
＜下地材３＞
下地材３は、図１に示すように、石膏ボードを下地基材パネル３Ａとし、その表面に鉄箔シート３Ｂが貼り付けられて構成されている。下地基材パネル３Ａは、合板などの木質系材料であっても良い。
鉄箔シート３Ｂは、図３に示すように、鉄箔３Ｂａと、その片面に貼り付けられた表面保護層３Ｂｂと、反対の面に貼り付けられた裏打ち層３Ｂｃとから構成される。
表面保護層３Ｂｂは、紙またはコート紙、壁紙、オレフィン系化粧シートなどの化粧シートから構成される。表側の表面保護層３Ｂｂに化粧シートを使用した場合には、装飾シート４を貼り付けなくても使用可能となる。
裏打ち層３Ｂｃには、紙または樹脂フィルムを用いる。
裏打ち層３Ｂｃは省略することも可能だが、裏打ち層３Ｂｃがある方が鉄箔シートを取り扱う際に箔の変形等のトラブルを減らすことができる。
【００１０】
また、下地基材パネルへ３Ａへの接着加工に使用する接着剤の選択肢を増やすことができる。
鉄箔シート３Ｂの積層には、接着剤を用いるなどの公知の手段を利用することができる。
鉄箔３Ｂａは、鉄箔本体とその表面形成された亜鉛鍍金とからなる。亜鉛鍍金はなくても構わない。
鉄箔３Ｂａの厚さは２５μｍ以上２００μｍ以下とする。磁力と加工適性のバランスを考慮すると３０μｍ以上８０μｍ以下がより好ましい。
鉄箔３Ｂａの厚さは、下地材３の丸鋸などでの加工のし易さから上限を２００μｍとし、装飾シート４の磁力による固定を考慮して下限を２５μｍとした。
【００１１】
＜装飾シート４＞
装飾シート４は、下地材３に着脱可能に磁着した着磁性及び可撓性を有するシートである。
装飾シート４は、図４に示すように、可撓性を有する磁性体シート４ａと、その表面に積層した化粧シート４ｂとから構成される。
磁性体シート４ａは、塩素化ポリエチレンなどの樹脂に、磁性材料である酸化鉄を混練して製膜したものである。
化粧シート４ｂは、適用する内装部位に適した公知の化粧シート４ｂを採用すればよい。
ここで、装飾シート４は、化粧シート４ｂ内に磁性材料を混練して、化粧シート４ｂが磁性体シート４ａを兼ねていても良い。
磁性材料としては上述の酸化鉄などの公知の磁性材料を採用すればよい。
【００１２】
＜装飾シート４の施工＞
次に、装飾シート４の施工例について説明する。
まず、図１に示すように、下地材３を突き付け施工で躯体に取り付ける。このとき、従来のように下地材３を現場にて加工して当該下地材３を取り付ける。
本実施形態では、下地材３が下地基材パネル３Ａに鉄箔３Ｂａをラッピングした構成となっているので、下地材３を丸鋸などで容易に切断することが可能となる。なお鉄板を施工する場合には、新たに板金業者による施工が必要となる。
【００１３】
このように、内装材とした場合、金属用のカッター等を用いないでも通常の木工のラインで加工することができる。ちなみに、鉄板だと切断などの加工時に火花が発生して木粉に引火する懸念がある。
また、鉄箔３Ｂａでラッピングした石膏ボードは、ボード職人がビスや釘で従来同様に施工するため、新たな手間が発生しない。
上述のように鉄箔３Ｂａラッピング石膏ボードを取り付けたら、その下地材３の上に、装飾シート４を磁力によって貼り付ける。
【００１４】
以上のような構成であれば、磁力を使って容易に内装の表面材（装飾シート４）を交換することができる。すなわち、模様替え、汚損時のメンテナンスが容易となる。
また、装飾シート４を磁力で貼り合わせるだけであるので、室内の壁全てに鉄箔ラッピング石膏ボードを利用した場合を想定すると、従来の石膏ボードに壁紙を貼る場合と比較して表面材の施工が飛躍的に簡単になり、大幅に時間や手間を省くことができると言う効果を有する。
【符号の説明】
【００１５】
３     下地材
３Ａ   下地基材パネル
３Ｂ   鉄箔シート
３Ｂａ 鉄箔
３Ｂｂ 表面保護層
３Ｂｃ  裏打ち層
４     装飾シート
４ａ   磁性体シート
４ｂ   化粧シート
【図１】
2017040135.tif 000003
【図２】
2017040135.tif 000004
【図３】
2017040135.tif 000005
【図４】
2017040135.tif 000006